(57)【要約】【課題】  居室内を撮影可能とするとともに、その撮影画像が他車に見られることが無いようネットワークセキュリティを向上した遠隔カメラ撮影画像閲覧システムを提供する。【解決手段】  遠隔カメラ撮影画像閲覧システムであって、携帯電話１０と、該携帯電話機１０とインターネットを介して接続するＷｅｂサーバ１００と、該Ｗｅｂサーバのみの接続が許可されるサブサーバ２００と、該サブサーバ２００にＶＰＮにより接続するコントロールボックス４００と、居室Ｒ内に設置されて該コントロールボックス４００にローカル接続されるカメラ４３０とを備えて構成され、携帯電話１０の操作により該カメラ４３０の撮影画像を閲覧できる。【選択図】図７
2008167250.tif 000002
【特許請求の範囲】
【請求項１】
居室内に設置され、該居室内の画像撮影を行なうとともに、外部から受信する動作指令情報に基づいて前記居室内の撮影状態を変更する撮影状態変更動作部を有した居室内カメラと、
前記居室内カメラにローカル接続され、該居室内カメラへの前記動作指令情報の送信と、前記居室内カメラが取得した撮影画像の受信とを行なうコントロールサーバと、
インターネットを介した携帯電話からの接続が可能とされ、前記携帯電話から入力される前記動作指令情報の受信と、前記コントロールサーバから受け取った前記撮影画像の前記携帯電話への送信とを行なうＷｅｂサーバとを有し、
前記コントロールサーバは、前記インターネットを介した暗号化通信により、前記Ｗｅｂサーバを制限的な接続元とする形で、該Ｗｅｂサーバからの接続が可能とされていることを特徴とする遠隔カメラ撮影画像閲覧システム。
【請求項２】
複数の前記居室に対し、前記居室内カメラと該居室内カメラが接続される前記コントロールサーバの組が一対一に対応する形で設けられ、前記Ｗｅｂサーバは、ルームＩＤにより前記居室内カメラと前記コントロールサーバとの組を特定する形で、所望の居室内カメラとの間での前記動作指令情報及び前記撮影画像の送受信処理を行なう請求項１記載の遠隔カメラ撮影画像閲覧システム。
【請求項３】
前記居室内カメラは、前記居室内に配置された電化製品に対するリモコン用無線送受信部が一体的に組み込まれた居室内ユニットを構成してなり、前記動作指令情報は前記電化製品に対する遠隔操作用指令情報を含むものであり、該遠隔操作用指令情報が前記リモコン用無線送受信部から前記電化製品に対し無線送信される請求項１又は請求項２に記載の遠隔カメラ撮影画像閲覧システム。
【請求項４】
前記ＷｅｂサーバにはグローバルＩＰアドレスが付与されるとともに、前記携帯電話は前記グローバルＩＰアドレスを特定する形で前記Ｗｅｂサーバにアクセス可能とされる一方、
前記コントロールサーバはプライベートＩＰアドレスが付与されるとともに、前記インターネット上に構築されたＶＰＮに接続されてなる請求項１ないし請求項３のいずれか１項に記載の遠隔カメラ撮影画像閲覧システム。
【請求項５】
前記コントロールサーバは、プライベートＩＰアドレスが付与されたサブサーバに対し前記インターネット上に構築されたＶＰＮを介して接続され、
前記Ｗｅｂサーバは、前記携帯電話から取得した認証情報を、前記インターネットを介して前記サブサーバに送信する認証情報送信手段を有し、
前記サブサーバは、前記Ｗｅｂサーバから受信した前記認証情報に基づいて認証処理を行なう認証手段と、その認証結果が受理認証であった場合にのみ前記Ｗｅｂサーバに対し前記コントロールサーバへの前記ＶＰＮを介した中継接続を許可する接続許可手段とを備える請求項４に記載の遠隔カメラ撮影画像閲覧システム。
【請求項６】
請求項２に記載の要件を備え、複数の前記コントロールサーバが共通の前記サブサーバに接続されてなる請求項５記載の遠隔カメラ撮影画像閲覧システム。
【請求項７】
前記サブサーバがＦＴＰサーバ機能を有し、前記コントロールサーバがＦＴＰクライアント機能を有し、
前記コントロールサーバは、受信した前記動作指令情報に基づいて前記居室内カメラが撮影した前記撮影画像を取得する撮影画像取得手段と、取得した該撮影画像の画像ファイルを前記サブサーバにＦＴＰ送信する画像ファイル送信手段を備え、
前記サブサーバは、受信した前記画像ファイルを記憶する画像ファイル手段と、記憶された該画像ファイルに基づく画像バイト列データを前記ＷｅｂサーバにＨＴＴＰ送信する画像バイト列データ送信手段を備える請求項５又は請求項６に記載の遠隔カメラ撮影画像閲覧システム。
【請求項８】
前記コントロールサーバは、取得した前記撮影画像をデータ圧縮することにより圧縮画像ファイルを作成する圧縮画像ファイル手段と、該圧縮画像ファイルを一時的に記憶するコントロールサーバ側圧縮画像ファイル記憶メモリとを備え、
前記画像ファイル送信手段は、前記圧縮画像ファイルを前記コントロールサーバ側圧縮画像ファイル記憶メモリから読み出して前記サブサーバにＦＴＰ送信するに伴い、該コントロールサーバ側圧縮画像ファイル記憶メモリから該圧縮画像ファイルを消去するファイルムーブ手段を有する請求項７記載の遠隔カメラ撮影画像閲覧システム。
【請求項９】
前記サブサーバは、前記コントロールサーバから受信した圧縮画像ファイルを記憶するサブサーバ側圧縮画像ファイル記憶メモリを備え、
前記画像バイト列データ送信手段は、該サブサーバ側圧縮画像ファイル記憶メモリ内の圧縮画像ファイルを非圧縮画像バイト列データに展開しつつ、当該非圧縮画像バイト列データを前記ＷｅｂサーバにＨＴＴＰ送信するものである請求項８記載の遠隔カメラ撮影画像閲覧システム。
【請求項１０】
前記画像バイト列データ送信手段は、前記非圧縮画像バイト列データとして前記ＷｅｂサーバにＨＴＴＰ送信済の前記圧縮画像ファイルを前記サブサーバ側圧縮画像ファイル記憶メモリから消去するファイル消去手段を有する請求項７記載の遠隔カメラ撮影画像閲覧システム。
【請求項１１】
前記ファイル消去手段は、前記サブサーバ側圧縮画像ファイル記憶メモリ上における、前記非圧縮画像バイト列データを前記ＷｅｂサーバにＨＴＴＰ送信済の前記圧縮画像ファイルのメモリ領域を、新しく受信した圧縮画像ファイルにて上書き更新する圧縮画像ファイル更新手段として構成されている請求項１０記載の遠隔カメラ撮影画像閲覧システム。
【請求項１２】
前記Ｗｅｂサーバは、前記サブサーバにおける前記認証処理の前記認証結果が受理認証であった場合に、前記携帯電話から受信した前記動作指令情報を、前記サブサーバにＨＴＴＰ送信する動作指令情報送信手段を備え、
前記サブサーバは、同じく前記認証処理の前記認証結果が受理認証であった場合に、前記Ｗｅｂサーバから受信した前記動作指令情報を、ＴＣＰ／ＩＰに従う専用ソケット通信プロトコルにより、前記居室内カメラの撮影状態変更動作部が直接読み取り可能な動作指令コマンドに変換しつつ、前記コントロールサーバへ前記ＶＰＮを介して転送する動作指令コマンド転送手段を備える請求項５ないし請求項１１のいずれか１項に記載の遠隔カメラ撮影画像閲覧システム。
【発明の詳細な説明】
【技術分野】
【０００１】
本発明は、遠隔操作されるカメラにより撮影された画像を、携帯電話により閲覧可能に構成される遠隔カメラ撮影画像閲覧システムに関するものである。
【背景技術】
【０００２】
【特許文献１】特開平９−１０５６４２号公報
【０００３】
近年、マンション等の集合住宅において、各居室内のセキュリティレベルの向上が求められている。このため、集合住宅内に侵入する不審者の監視を目的に、共用部（例えばエントランスや共用通路、エレベータ内等）にカメラを設置することが行なわれている。
【０００４】
他方、近年、共有部だけでなく居室内も監視したいという居住者の要望がある。その理由の第一には、居室内に不審者がいないかを居室に入る前に確認したいというものである。例えばストーカー被害等を恐れる者にとって、夜間、室内照明が点灯していない居室内に入ることは自室であっても恐怖感を感じるものであり、その集合住宅のセキュリティレベルが高いからといってその恐怖感がなくなることはないからである。第二には、近年、居室内でペットを飼うことが認められている集合住宅が増えており、自身の不在中に居室内のペットの様子を確認したいというものである。
【発明の開示】
【発明が解決しようとする課題】
【０００５】
しかしながら、居室内にカメラを設置する場合には、そのカメラによる撮影画像を他人に見られることがあってはならないので、ネットワークセキュリティの向上が重要となる。
【０００６】
本発明の課題は、居室内を撮影可能とするとともに、その撮影画像が他車に見られることが無いようネットワークセキュリティを向上した遠隔カメラ撮影画像閲覧システムを提供することにある。
【課題を解決するための手段および発明の効果】
【０００７】
上記課題を解決するために本発明の遠隔カメラ撮影画像閲覧システムは、
居室内に設置され、該居室内の画像撮影を行なうとともに、外部から受信する動作指令情報に基づいて居室内の撮影状態を変更する撮影状態変更動作部を有した居室内カメラと、
居室内カメラにローカル接続され、該居室内カメラへの動作指令情報の送信と、居室内カメラが取得した撮影画像の受信とを行なうコントロールサーバと、
インターネットを介した携帯電話からの接続が可能とされ、携帯電話から入力される動作指令情報の受信と、コントロールサーバから受け取った撮影画像の携帯電話への送信とを行なうＷｅｂサーバとを有し、
コントロールサーバは、インターネットを介した暗号化通信により、Ｗｅｂサーバを制限的な接続元とする形で、該Ｗｅｂサーバからの接続が可能とされていることを特徴とする。
【０００８】
上記本発明の構成によると、携帯電話の操作により、Ｗｅｂサーバからカメラ駆動用のコントロールサーバに動作指令が送信され、コントロールサーバはその動作指令に基づいてカメラを駆動することができる。このため、携帯電話による居室内カメラの遠隔操作が可能となる。また、カメラ駆動用のコントロールサーバへの接続は、Ｗｅｂサーバからのみに制限されているので、Ｗｅｂサーバへの接続が許可された者のみが居室内カメラの撮影を行うことが可能となり、他人が居室内カメラに接続して撮影を行なうことを防ぐことができる。
【０００９】
また、複数の居室に対し、居室内カメラと該居室内カメラが接続されるコントロールサーバの組を、一対一に対応する形で設けることができる。このとき、Ｗｅｂサーバは、ルームＩＤにより居室内カメラとコントロールサーバとの組を特定する形で、所望の居室内カメラとの間での動作指令情報及び撮影画像の送受信処理を行なうように構成することができる。この構成によると、本発明の遠隔カメラ撮影画像閲覧システムが設けられた集合住宅において、各居室の居住者は、ルームＩＤにより自身の居室内のみの撮影画像を取得可能となる。これにより、ルームＩＤを知る居住者のみが、該ＩＤに対応する居室のカメラを駆動して撮影画像を取得できるようになる。他室の居住者により自室の撮影画像が取得されることがなくなる。
【００１０】
居室内カメラは、居室内に配置された電化製品に対するリモコン用無線送受信部が一体的に組み込まれた居室内ユニットを構成することができる。そして、動作指令情報は電化製品に対する遠隔操作用指令情報を含むものであり、該遠隔操作用指令情報がリモコン用無線送受信部から電化製品に対し無線送信されるように構成することができる。この構成によると、巨視室内カメラが組み込まれた居室内ユニットにより、自室の電化製品をユーザー任意のタイミングにて動作させることができる。
【００１１】
例えば、電化製品を室内照明装置とすることができる。この場合、夜間居室内を撮影する前に、照明を点灯させてから撮影することが可能となるから、夜間であっても居室内の状況を確認できる。また、ストーカーや尾行者を恐れる者にとっては、集合住宅において自室に入ってから照明装置を点灯させると自室の位置が外から確認されてしまう惧れがあるが、外から自室の照明装置を駆動できればこれを防ぐことが可能となる。
【００１２】
また、電化製品を冷暖房装置とすることで、自室に入る前に冷暖房を駆動して室内温度を適温にしておくことが可能となる。タイマー予約などとは異なり、任意のタイミングで駆動することができるので電気代の節約にもなり、省エネ・環境対策にもつながる。また、電化製品をビデオとすれば、居室外からのビデオ予約等が可能となる。また、電化製品を自動湯張り機能を有する風呂装置とすることで、居室に戻った際にすぐにお風呂に入れるようにしておくことも可能となる。
【００１３】
本発明の遠隔カメラ撮影画像閲覧システムにおいて、ＷｅｂサーバにはグローバルＩＰアドレスが付与されるとともに、携帯電話はグローバルＩＰアドレスを特定する形でＷｅｂサーバにアクセス可能とされる一方、コントロールサーバはプライベートＩＰアドレスが付与されるとともに、インターネット上に構築されたＶＰＮに接続される形で構成することができる。この構成によると、ＷｅｂサーバにグローバルＩＰアドレスが付与されているので、インターネット上でのアクセスが容易となるとともに、コントロールサーバが受信するカメラ駆動用の動作指令情報は、暗号通信を前提とするＶＰＮを介して送信されるので、セキュリティが向上し、該動作指令情報を他者が盗み見ることが困難となる。
【００１４】
コントロールサーバは、プライベートＩＰアドレスが付与されたサブサーバに対しインターネット上に構築されたＶＰＮを介して接続され、Ｗｅｂサーバは、携帯電話から取得した認証情報を、インターネットを介してサブサーバに送信する認証情報送信手段を有するように構成することができる。また、サブサーバは、Ｗｅｂサーバから受信した認証情報に基づいて認証処理を行なう認証手段と、その認証結果が受理認証であった場合にのみＷｅｂサーバに対しコントロールサーバへのＶＰＮを介した中継接続を許可する接続許可手段とを備えるように構成することができる。これらの構成によると、Ｗｅｂサーバとコントロールサーバとがサブサーバを介して接続され、Ｗｅｂサーバによるサブサーバへの接続が認証処理を経た上で行なわれる一方で、サブサーバとコントロールボックスとの通信がＶＰＮによる専用の暗号通信により行なわれる。これにより、携帯電話による居室内カメラの駆動及び撮影画像の取得を、認証処理とＶＰＮとの二段階で保護することが可能となる。
【００１５】
複数の居室に対し、居室内カメラと該居室内カメラが接続されるコントロールサーバの組が一対一に対応する形で設けられ、Ｗｅｂサーバが、ルームＩＤにより居室内カメラとコントロールサーバとの組を特定する形で、所望の居室内カメラとの間での動作指令情報及び撮影画像の送受信処理を行なう構成において、複数のコントロールサーバが共通のサブサーバに接続された構成とすることができる。この構成によると、認証処理を行なうサブサーバ１台で複数のコントロールサーバを統括管理することが可能となる。
【００１６】
また、サブサーバがＦＴＰサーバ機能を有し、コントロールサーバがＦＴＰクライアント機能を有するように構成することができる。この場合、コントロールサーバは、受信した動作指令情報に基づいて居室内カメラが撮影した撮影画像を取得する撮影画像取得手段と、取得した該撮影画像の画像ファイルをサブサーバにＦＴＰ送信する画像ファイル送信手段を備え、サブサーバは、受信した画像ファイルを記憶する画像ファイル手段と、記憶された該画像ファイルに基づく画像バイト列データをＷｅｂサーバにＨＴＴＰ送信する画像バイト列データ送信手段を備えることができる。この構成によると、認証処理を経ないと接続できないサブサーバに、居室内カメラにより撮影された画像の画像ファイルが記憶されるとともに、Ｗｅｂサーバへは画像ファイルという形では送信しない。これにより、外部の人間がその画像ファイルを取得できないようになっている。
【００１７】
コントロールサーバは、取得した撮影画像をデータ圧縮することにより圧縮画像ファイルを作成する圧縮画像ファイル手段と、該圧縮画像ファイルを一時的に記憶するコントロールサーバ側圧縮画像ファイル記憶メモリとを備えて構成することができる。そして、コントロールサーバの画像ファイル送信手段は、圧縮画像ファイルをコントロールサーバ側圧縮画像ファイル記憶メモリから読み出してサブサーバにＦＴＰ送信するに伴い、該コントロールサーバ側圧縮画像ファイル記憶メモリから該圧縮画像ファイルを消去するファイルムーブ手段を有するものとして構成することができる。これにより、居室内カメラの撮影により取得した画像ファイルは圧縮され、容量を小さくしてサブサーバに送信することができるとともに、送信した画像ファイルはコントロールボックス本体には残らないので、当該コントロールボックスが盗まれたとしても、居室内カメラが撮影した画像を見られる心配がない。
【００１８】
サブサーバは、コントロールサーバから受信した圧縮画像ファイルを記憶するサブサーバ側圧縮画像ファイル記憶メモリを備えて構成することができる。そして、サブサーバの画像バイト列データ送信手段は、該サブサーバ側圧縮画像ファイル記憶メモリ内の圧縮画像ファイルを非圧縮画像バイト列データに展開しつつ、当該非圧縮画像バイト列データをＷｅｂサーバにＨＴＴＰ送信するものとして構成することができる。この構成によると、サブサーバに記憶された圧縮画像ファイルは、バイナリデータに展開しつつＷｅｂサーバに送信されるので、撮影した画像が画像ファイルとしてＷｅｂサーバに残ることはない。これにより、Ｗｅｂサーバから居室内カメラによる撮影画像が盗まれる心配がない。
【００１９】
サブサーバの画像バイト列データ送信手段は、非圧縮画像バイト列データとしてＷｅｂサーバにＨＴＴＰ送信済の圧縮画像ファイルをサブサーバ側圧縮画像ファイル記憶メモリから消去するファイル消去手段を有するものとして構成することができる。これにより、サブサーバにおいても画像ファイルは消去可能となるので、撮影画像が盗まれる心配が一層なくなる。
【００２０】
このファイル消去手段は、サブサーバ側圧縮画像ファイル記憶メモリ上における、非圧縮画像バイト列データとしてＷｅｂサーバにＨＴＴＰ送信済の圧縮画像ファイルのメモリ領域を、コントロールサーバから新しく受信した圧縮画像ファイルにて上書き更新する圧縮画像ファイル更新手段として構成することができる。これにより、過去に撮影された画像のファイルは、サブサーバ上で順次消去されていくので、過去の撮影画像が盗まれる心配がない。
【００２１】
Ｗｅｂサーバは、サブサーバにおける認証処理の認証結果が受理認証であった場合に、携帯電話から受信した動作指令情報を、サブサーバにＨＴＴＰ送信する動作指令情報送信手段を備えて構成することができる。そして、サブサーバは、同じく認証処理の認証結果が受理認証であった場合に、Ｗｅｂサーバから受信した動作指令情報を、ＴＣＰ／ＩＰに従う専用ソケット通信プロトコルにより、居室内カメラの撮影状態変更動作部が直接読み取り可能な動作指令コマンドに変換しつつ、コントロールサーバへＶＰＮを介して転送する動作指令コマンド転送手段を備えて構成することができる。サブサーバとコントロールサーバ間において、ＦＴＰではコマンド転送を行なうことができないが、この構成によると、独自のプロコトルにより、動作指令コマンドをサブサーバからコントロールサーバへと送信可能とされている。また、動作指令コマンドは、居室内カメラの撮影状態変更動作部が直接読み取り可能であるから、コントロールサーバはこれを居室内カメラに転送するだけで該カメラを駆動することができる。
【発明を実施するための最良の形態】
【００２２】
本発明の実施形態を、図面を参照しながら説明する。
図１及び図２は、本発明の遠隔カメラ撮影画像閲覧システムの全体構成を概略的に示すブロック図である。図１に示す遠隔カメラ撮影画像閲覧システム１は、携帯電話１０と、Ｗｅｂサーバ１００と、サブサーバ２００と、集合住宅Ｍの居室Ｒ毎に設置されるコントロールボックス（コントロールサーバ）４００とにより構成されている。
【００２３】
集合住宅Ｍの各居室Ｒ（Ｒ１，Ｒ２，・・・）には、居室内カメラ（以下、カメラと略する）４３０及び赤外線発信装置４４０が組み込まれてなる居室内ユニット４２０（図３）が設けられている。各居室Ｒに対し、居室内ユニット４２０と該居室内ユニット４２０が接続されるコントロールボックス４００の組を、一対一に対応する形で設けられている。
【００２４】
カメラ４３０は、図３に示すように、撮影駆動部（撮影状態変更動作部）４３２と、外部からの動作指令情報に基づいて該撮影駆動部４３２を駆動させる駆動回路４３１とを備えて構成されている。このカメラ４３０は、設置された居室Ｒ内の画像撮影を行なうとともに、外部から受信する動作指令情報に基づいて撮影駆動部４３２が居室Ｒ内の撮影状態を変更する。
【００２５】
赤外線発信装置４４０は、赤外線信号発信機４４１と、発光部をなす赤外線ＬＥＤ部４４２とを備え、該赤外線ＬＥＤ部４４２が居室内ユニット４２０に組み込まれて居室Ｒ内に配置されている。この赤外線発信装置４２０の赤外線ＬＥＤ部が、居室Ｒ内に配置された電化製品５００に対するリモコン用無線送受信部であり、外部からの動作指令情報（遠隔操作用指令情報）に基づいて電化製品５００に対し、これらを駆動するための赤外線信号を無線送信する。
【００２６】
電化製品５００としては、冷暖房装置等の空調装置５０１、室内の照明装置５０２、及びテレビ番組を録画する放送映像録画装置５０３等があり、これらは各々図示しない赤外線受信部を備え、受信した赤外線信号に基づいて各々の駆動制御がなされるものである。
【００２７】
居室内ユニット４２０に送信される動作指令情報は、携帯電話１０の操作に基づいて送信される。携帯電話１０は、各種機能を利用するための操作部１２と表示画面１１を備え、かつ該操作部への所定の操作によりインターネット５０と接続可能な周知の構成を有するものである。携帯電話１０は、インターネット５０を介してＷｅｂサーバ１００に接続すると、表示画面１１上には認証情報入力画面が表示される。その画面内容に従い認証情報を入力し、認証結果が受理認証であった場合には、Ｗｅｂサーバ１００にログインすることができる。Ｗｅｂサーバ１００へのログイン状態となることで、携帯電話１０は、居室内ユニット４２０への動作指令情報の送信が可能となる。
【００２８】
Ｗｅｂサーバ１００は、集合住宅Ｍとは別の外部のデータセンタに設置されており、インターネット５０を介して携帯電話１０からの接続が可能とされている。図３に示すように、Ｗｅｂサーバ１００は、ＣＰＵ１０１、ワークメモリを備えるＲＡＭ１０２、各種プログラムを記憶するＲＯＭ１０３、バスライン１０４、ハードディスク装置（ＨＤＤ（Hard Disk Drive））１０６、ルーター１０７に接続されるインターフェース１０５を備えて構成されており、ルーター１０７を介してインターネット５０に接続されている。具体的に言えば、Ｗｅｂサーバ１００（ルーター１０７）にグローバルＩＰアドレスが付与されており、そのグローバルＩＰアドレスを特定する形で携帯電話１０からのアクセスが可能とされている。Ｗｅｂサーバ１００は、携帯電話１０から動作指令情報を受信すると、これをサブサーバ２００に転送する。
【００２９】
なお、Ｗｅｂサーバ１００のＨＤＤ１０６には、ＯＳ（Operating System）１０６ａと、主制御アプリケーション１０６ｂと、サブサーバ２００から送信されてくる画像データを携帯電話１０の表示画面上に表示するイメージ表示アプリケーション１０６ｃとが記憶されている。
【００３０】
サブサーバ２００は、Ｗｅｂサーバ１００と同じく集合住宅Ｍとは別の外部のデータセンタに設置されており、インターネット５０を介してＷｅｂサーバ１００からのみ接続が可能とされている。図３に示すように、サブサーバ２００は、ＣＰＵ２０１、ワークメモリを備えるＲＡＭ２０２、各種プログラムを記憶するＲＯＭ２０３、バスライン２０４、ハードディスク装置（ＨＤＤ）２０６、ルーター２０７に接続されるインターフェース２０５を備えて構成されており、ルーター２０７を介してインターネット５０に接続されている。具体的に言えば、サブサーバ２００（ルーター２０７）にはプライベートＩＰアドレスが付与されており、そのプライベートＩＰアドレスを特定する形でＷｅｂサーバ１００からのアクセスが可能とされている。
【００３１】
また、サブサーバ２００のＨＤＤ２０６には、ＯＳ（Operating System）２０６ａと、Ｗｅｂサーバ１００から受信した動作指令情報をコントロールボックス４００に転送するコマンド送信プログラム２０６ｂと、コントロールボックスから送信されてくる画像データを記憶する画像記憶メモリ２０６ｄと、該画像記憶メモリ２０６ｄに記憶された画像をＷｅｂサーバ１００に送信する画像送信アプリケーション２０６ｃと、登録ユーザーの認証情報（マスター認証情報）及び個人情報を記憶するユーザーデータベース（以下、ユーザーＤＢという）２０６ｅと、接続するコントロールボックス４００に関する情報を記憶する管理端末データベース（以下、管理端末ＤＢという）とが記憶されている。
【００３２】
Ｗｅｂサーバ１００からサブサーバ２００への接続は、サブサーバ２００において実行される予め定められた認証処理を経た上で行なわれる。認証結果が受理認証であった場合に限り、Ｗｅｂサーバ１００に対しコントロールボックス４００へのＶＰＮ６０を介した中継接続を許可する。つまり、認証結果が受理認証であった場合にのみ、Ｗｅｂサーバ１００から送信された動作指令情報がコントロールボックス４００に転送される。転送される動作指令情報の駆動対象としてカメラ４３０が指定されている場合には、該動作指令情報をコントロールボックス４００に送信すると、その返信としてカメラ４３０による撮影画像が送信される。
【００３３】
サブサーバ２００とコントロールサーバ４００とは、インターネット５０を介した暗号化通信により通信可能とされている。具体的に言えば、インターネット５０上に構築されたＶＰＮ６０を介して互いが接続されている。また、このサブサーバ２００は、ＦＴＰサーバ機能を備えている。他方、コントロールボックス４００は、ＦＴＰクライアント機能を備えている。コントロールボックス４００は、カメラ４３０により撮影された画像を取得すると、その撮影画像の画像ファイルをサブサーバ２００にＦＴＰ送信してくるので、サブサーバ２００は、これを居室Ｒ毎に画像記憶メモリ２０６ｄに記憶する。そして、記憶した画像ファイル（後述する圧縮画像ファイル）を携帯電話１０にて表示するために、該画像ファイルに基づく画像バイト列データ（後述する非圧縮画像バイト列データ）をＷｅｂサーバ１００にＨＴＴＰ送信する。これにより、動作指令情報を送信するための入力操作を行なった、ログイン状態の携帯電話１０の表示画面には、対応する居室Ｒ内の撮影画像が表示される。
【００３４】
コントロールボックス４００は、図３に示すように、ＣＰＵ４０１、ワークメモリを備えるＲＡＭ４０２、各種プログラムを記憶するＲＯＭ４０３、バスライン４０４、ハードディスク装置（ＨＤＤ）４０６、ルーター２０に接続されるインターフェース４０５、カメラ４３０に接続されるＵＳＢインターフェース４０７、及び赤外線信号発信機４４０に接続されるＵＳＢインターフェース４０８を備えて構成されている。ルーター２０７を介してインターネット５０に接続されている。
【００３５】
コントロールボックス４００のＨＤＤ４０６には、ＯＳ（Operating System）４０６ａと、サブサーバ２００から受信した動作指令情報を居室内ユニット４２０に転送するコマンド送信プログラム４０６ｂと、カメラ４３０により撮影された画像データを記憶する画像記憶メモリ４０６ｄと、該画像記憶メモリ４０６ｄに記憶された画像データをサブサーバ２００に送信する画像送信アプリケーション２０６ｃと、登録ユーザーの認証情報及び個人情報を記憶するユーザーデータベース（ユーザーＤＢ）２０６ｅと、接続しているコントロールボックス４００に関する情報を記憶する管理端末データベース（管理端末ＤＢ）２０６ｆとが記憶されている。
【００３６】
コントロールボックス４００は、居室Ｒ毎に対応付けて設けられており、集合住宅Ｍ内のローカルネットワーク５５に対しスイッチングハブ３１を介して接続されている。そして、該ローカルネットワーク５５におけるプライベートＩＰアドレスが付与されている。ここで、スイッチングハブ３１にはＶＬＡＮ設定がなされており、コントロールボックス４００と、他のインターネット接続機器４１，４２とが別グループに設定され、ＶＰＮを介してサブサーバより送信されるデータはコントロールボックスにのみ送信される。
【００３７】
また、コントロールボックス４００は、ローカルネットワーク５５を介してルーター２０に接続しており、インターネット５０を介した暗号化通信により、Ｗｅｂサーバ１００を制限的な接続元とする形で、該Ｗｅｂサーバ１００からの接続が可能とされている。具体的に言えば、コントロールボックス４００は、Ｗｅｂサーバ１００との接続を中継するサブサーバ２００に対しインターネット５０上に構築されたＶＰＮ６０を介して接続されている。
【００３８】
他方、図４に示すように、コントロールボックス４００には、カメラ４３０及び赤外線発信装置４２０の赤外線信号ＬＥＤ部４４２が組み込まれてなる居室内ユニット４２０がローカル接続されている。コントロールボックス４００は、ＵＳＢケーブル４８１を介して赤外線発信装置４２０に接続しており、さらに該赤外線発信装置が、ＡＶケーブル４８２を介して赤外線信号ＬＥＤ部４４２の各ＬＥＤに接続されている。また、コントロールボックス４００は、ＵＳＢケーブル４７１，４７３とを介してカメラ４３０に接続している。ＵＳＢケーブル４７１，４７３間は、エクステンダー４６１，４６２及びＬＡＮケーブル４７２により延長されている。
【００３９】
居室内ユニット４２０は、図５に示すように、中空に形成されたユニット筐体４２１の内部に収納されている。ユニット筐体４２１の上端部には、円盤状の天井取付部４２８が設けられており、ユニット筐体４２１は、該天井取付部４２８により居室Ｒの天井に取り付けられる。また、天井取付部４２８には上方に開口するケーブル挿通用開口部４２７が形成されており、ＬＡＮケーブル４７２及びＡＶケーブル４８２が該開口部４２７を介してユニット筐体４２１の内部に挿通される一方で、これら双方のケーブル４７２，４８２は居室Ｒ内の壁部の内側を通って、後述するコントロール部４１０まで達している。筐体４２１の内部には、エクステンダー４６２が固定配置されるとともに、ＬＡＮケーブル４７２、ＵＳＢケーブル４７３、及びＡＶケーブル４８２が配置されている。
【００４０】
ユニット筐体４２１の下端部４２２には、下方に開口するＬＥＤ配置用開口部４２３が形成されており、該開口部４２３の内側に、赤外線信号ＬＥＤ部４４２が各ＬＥＤを露出させる形で配置されている。また、下端部４２２の正面側には、該正面方向に突出する突出部４２４が形成されており、その上面４２５が上方に向けて上り傾斜面をなして形成されている。該上り傾斜面４２５には、上方に開口するカメラ配置用開口部４２５が形成されており、該開口部４２６上に、カメラ４３０を収納する球状筐体４５０が配置されている。ＵＳＢケーブル４７３は、該開口部４２６を通って該球状筐体４５０内部のカメラ４３０に接続されている。球状筐体４５０の正面部４５１は樹脂製透明部材により形成されており、カメラ４３０の撮影駆動部４３２は、撮影方向が該正面部４５１側に向く形で配置されている。
【００４１】
他方、コントロール部４１０は、コントロールボックス４００及び赤外線信号発信機４４１を備えて構成され、居室Ｒに対応して設けられていればよく、本実施形態においては各居室の配電盤周辺に設けられている。
【００４２】
コントロールボックス４００は、この居室内ユニット４２０に動作指令情報を送信する。送信した動作指令情報の駆動対象として赤外線発信装置４４０が指定されている場合には、赤外線信号ＬＥＤ部４４２の各ＬＥＤを該動作指令情報に基づいて発光駆動させる。同じく送信した動作指令情報の駆動対象としてカメラが指定されている場合には、カメラ４３０を該動作指令情報に基づいて撮影状態を変更する形で駆動するとともに該カメラ４３０に撮影を実行させて、その撮影画像を受信する。
【００４３】
なお、撮影画像を受信した場合、コントロールボックス４００は、その撮影画像をデータ圧縮することにより圧縮画像ファイルを作成する。そして、画像記憶メモリ（コントロールボックス側圧縮画像ファイル記憶メモリ）４０６ｄに一時的に記憶するとともに、その圧縮画像ファイルを画像記憶メモリ４０６ｄから読み出してサブサーバ２００にＦＴＰ送信する。その上で、ＦＴＰ送信後には該コントロールボックス側圧縮画像ファイル記憶メモリ４０６ｄから該圧縮画像ファイルを消去する。つまり、圧縮画像ファイルをファイルムーブの形でサブサーバ２００にＦＴＰ送信する。
【００４４】
サブサーバ２００では、コントロールボックス４００から圧縮画像ファイルを受信すると、これを画像記憶メモリ２０６ｄに記憶する。そして、サブサーバ２００は、画像記憶メモリ２０６ｄに記憶された圧縮画像ファイルを非圧縮画像バイト列データに展開しつつ、当該非圧縮画像バイト列データをＷｅｂサーバ１００にＨＴＴＰ送信する。Ｗｅｂサーバ１００では、受信した非圧縮画像バイト列データを、携帯電話１０で表示可能な形式に変換して携帯電話１０に送信する。これにより、携帯電話１０の表示画面１１には、居室Ｒ内の撮影画像が表示される。
【００４５】
以下、本実施形態における遠隔カメラ撮影画像閲覧システム１による居室内画像撮影のための処理の流れについて、図７と、図８〜図１０のフローチャートとを用いて説明する。
【００４６】
まず、ユーザーが自身の居室Ｒ内の状況を把握したい場合には、携帯電話１０を操作して、Ｗｅｂサーバ１００に接続するためのアプリケーションを起動する（Ｓ１）。Ｗｅｂサーバ１００への接続がなされると、表示画面１１には、ユーザー認証情報（ログイン情報）の入力画面（認証情報入力画面）が表示される。ユーザーは携帯電話１０の操作部１２を操作して、自身のユーザー認証情報を表示画面１１の表示内容に従い入力する（Ｓ２）。本実施形態におけるユーザー認証情報は、ユーザーＩＤ、パスワード、及びルームＩＤである。これら認証情報は、登録時にユーザーに与えられるものであり、ルームＩＤはユーザーの居室を特定可能な情報である。そして、入力が終了すると、それらユーザー認証情報をＷｅｂサーバ１００にＨＴＴＰに従い送信する（Ｓ３）。送信後は、送信したユーザー認証情報の認証結果待ち状態となる（Ｓ４，Ｓ５）。
【００４７】
Ｗｅｂサーバ１００は、主制御アプリケーション１０６ｂを実行しており、携帯電話１０からユーザー認証情報が送信されてこない間は、ユーザー認証情報の受信待機状態が維持されている（Ｓ１０１、Ｓ１０２）。ユーザー認証情報（ログイン情報）を受信すると、受信したユーザー認証情報をサブサーバ２００にＨＴＴＰに従い送信する（Ｓ１０３）。そして、サブサーバ２００が実行する認証処理の結果返信を待つ待機状態となる（Ｓ１０４，Ｓ１０５）。
【００４８】
サブサーバ２００は、コマンド送信プログラム２０６ｂを実行しており、Ｗｅｂサーバ１００からユーザー認証情報が送信されてこない間は、ユーザー認証情報の受信待機状態が維持されている（Ｓ２０１、Ｓ２０２）。ユーザー認証情報（ログイン情報）を受信すると、認証処理を開始する（Ｓ２０３）。具体的には、ユーザーＤＢ２０６ｅに記憶されている登録ユーザーの認証情報（マスター認証情報）を読み出して、これと受信したユーザー認証情報とを比較し、一致する場合を認証ＯＫ、一致しない場合を認証ＮＧとする。認証処理が終了すると、その認証結果をＷｅｂサーバ１００にＨＴＴＰに従い返信する（Ｓ２０４）。
【００４９】
ここで、サブサーバー２００は、認証結果が認証ＮＧであれば、再びユーザー認証情報の受信待機状態に戻る（Ｓ２０１）。他方、認証結果が認証ＯＫであれば、携帯電話１０の操作情報の受信を待つ待機状態となる（Ｓ２０６、Ｓ２０７）。
【００５０】
Ｗｅｂサーバ１００は、サブサーバ２００から認証結果を受信し、その結果が認証ＯＫであった場合には、携帯電話１０のログインを許可するとともに、その結果を携帯電話１０にＨＴＴＰに従い返信・通知する（Ｓ１０７）。他方、認証結果が認証ＮＧであった場合には、ログイン禁止状態を維持しつつ、その結果を携帯電話１０にＨＴＴＰに従い返信・通知する（Ｓ１０９）。そして、認証結果が認証ＮＧであれば、再びユーザー認証情報の受信待機状態に戻る（Ｓ１０１）。認証結果が認証ＯＫであれば、携帯電話１０の操作情報の受信を待つ待機状態となる（Ｓ１０８、Ｓ１１０）。
【００５１】
携帯電話１０は、Ｗｅｂサーバ１００から認証結果を受信し、その結果が認証ＯＫであった場合には、Ｗｅｂサーバ１００へのログイン状態となって表示画面１１に、居室内ユニット４２０を指定する形で、指定した居室内ユニット４２０の駆動内容を指定する駆動操作入力画面が表示され（Ｓ７）、ユーザー操作待ちの状態となる（Ｓ８、Ｓ１０）。他方、認証結果が認証ＮＧであった場合には、ログインＮＧの旨を表示画面１１に表示して（Ｓ９）、再び表示画面１１にユーザー認証情報（ログイン情報）の入力画面が表示される（Ｓ２）。
【００５２】
続いて図９に進む。携帯電話１０は、図８のＳ８のユーザー操作待ち状態において、操作部１２に居室内ユニット４２０（カメラ４３０あるいは赤外線発信装置４４０）の駆動用操作がなされると、その操作情報（動作指令情報）をＷｅｂサーバ１００にＨＴＴＰに従い送信する（Ｓ１１）。その操作情報が駆動対象として赤外線発信装置４４０を指定するものであれば、赤外線信号ＬＥＤ部４４２に駆動指令を出力した旨を画面表示して本アプリケーションを終了する。他方、同じくその操作情報が駆動対象としてカメラ４３０を指定するものであれば、該カメラ４３０が撮影した画像データの返信を待つ待機状態となる（Ｓ１３、Ｓ１４，Ｓ１６）。
【００５３】
Ｗｅｂサーバ１００は、図８のＳ１０８の操作情報受信待ち状態において、携帯電話１０から操作情報（動作指令情報）を受信すると、受信した操作情報とともにユーザー認証情報をサブサーバ２００にＨＴＴＰ送信する（Ｓ１１１）。そして、サブサーバ２００が実行する認証処理の結果待ち状態となる（Ｓ１１２，Ｓ１１３）。
【００５４】
サブサーバ２００は、図８のＳ２０６の操作情報受信待ち状態において、Ｗｅｂサーバ１００から操作情報（動作指令情報）及びユーザー認証情報を受信すると、まずは受信したユーザー認証情報に対する認証処理を開始する（Ｓ２０８）。ユーザーＤＢ２０６ｅに記憶されている登録ユーザーの認証情報（マスター認証情報）を読み出して、これと受信したユーザー認証情報とを比較し、一致する場合を認証ＯＫ、一致しない場合を認証ＮＧとする。認証処理が終了すると、その認証結果をＷｅｂサーバ１００にＨＴＴＰに従い返信する（Ｓ２０９）。
【００５５】
Ｗｅｂサーバ１００は、サブサーバ２００から認証結果を受信し、その結果が認証ＯＫであった場合には、イメージ表示アプリケーション１０６ｃを起動する。なお、イメージ表示アプリケーション１０６ｃ起動後、携帯電話１０がログアウトした場合、あるいは携帯電話１０との接続が中断した場合にはＳ１０１に戻る。そうでなければログイン状態を維持したまま、携帯電話１０の操作情報の受信待ち状態に戻る（Ｓ１０８、Ｓ１１０）。他方、認証結果が認証ＮＧであった場合には、その結果を携帯電話１０にＨＴＴＰに従い送信し、通知する（Ｓ１０９）。そして、認証結果が認証ＮＧであれば、再びログイン前のユーザー認証情報の受信待機状態に戻る（Ｓ１０１）。
【００５６】
ところで、サブサーバ２００は、図９のＳ２０９で認証結果をＷｅｂサーバ１００に返信すると、続いて、該認証情報とともに受信した操作情報に対応する動作指令コマンドを特定する（Ｓ２１１）。この動作指令コマンドは、各居室内ユニット４２０が直接読み取り可能な動作指令コマンドである。動作指令コマンドは、駆動対象となる居室内ユニット４２０を特定する情報（ユニット特定情報）と、駆動指令内容（駆動指令情報）とを対応付けた形で作成される。
【００５７】
図６の（ａ）に示すように、例えば駆動対象がカメラ４３０である場合には、ａ［Ａ］という動作指令コマンドが特定される。カメラ４３０への駆動指令内容は予め複数用意されており、各駆動指令内容に対応付けた形で携帯電話１０の操作部１１への操作内容が定められている。ここでは、各駆動指令内容（動作指令内容）に対し、携帯電話１０の操作部１１（テンキー）の操作により入力される一桁の数値が対応付けられている。これにより、カメラ４３０の動作指令コマンドは、カメラ４３０を指定する情報（ユニット特定情報）と、その駆動指令内容（駆動指令情報）とを対応付けた形で作成される。例えば、携帯電話１０でテンキー１１の「２」が操作された場合には、カメラの撮影視野を上方に移動する駆動指令コマンドａ［２］が特定される。
【００５８】
同様に、駆動対象が赤外線発信装置４４０である場合には、ｂ［ＢＢ］［ＣＣ］という動作指令コマンドが特定される。赤外線発信装置４４０の駆動指令内容（動作指令内容）は予め複数用意されており、各駆動指令内容に対応付けた形で携帯電話１０の操作部１１への操作内容が定められている。ここでは、各駆動指令内容に対し、携帯電話１０の操作部１１（テンキー）の操作により入力される二桁の数値が対応付けられている。また、赤外線操作される各電化製品５００の製造メーカーが、ユーザー毎に予めユーザーＤＢ２０６ｅに登録されている。これにより、赤外線発信装置４４０の動作指令コマンドは、赤外線発信装置４４０を指定する情報（ユニット特定情報）と、その駆動指令内容（駆動指令情報）と、赤外線発信装置４４０の製造メーカー情報とを対応付けた形で作成される。例えば携帯電話１０でテンキー１１の「２１」が操作され、エアコンの製造メーカーがＡ社で登録されていた場合には、Ａ社のエアコンの電源をＯＮとするための駆動指令コマンドｂ［００］［２１］が特定される。
【００５９】
サブサーバ２００は、動作指令コマンドを特定すると、該動作指令コマンドの送信先となるコントロールボックス４００を特定する（Ｓ２１２）。コントロールボックス４００の特定は、認証処理（Ｓ２０８）に用いたルームＩＤに基づいて行なう。管理端末情報ＤＢ２０６ｆには、ルームＩＤに対応付けた形でコントロールボックスの固有情報、例えばＩＰアドレス等が記憶されているので、これらを読み出す形で、動作指令コマンドの送信先となるコントロールボックス４００を特定する。そして、その特定されたコントロールボックス４００に、ＴＣＰ／ＩＰのソケット通信（ＴＣＰ／ＩＰに従う専用ソケット通信プロトコル）により動作指令コマンドを送信する（Ｓ２１３）。
【００６０】
そして、サブサーバ２００は、動作指令コマンド送信後、画像送信アプリケーション２０６ｃを起動する（Ｓ２１４）。なお、画像送信アプリケーション２０６ｃ起動後、携帯電話１０がログアウトした場合、あるいは携帯電話１０とＷｅｂサーバ１００との接続が中断した場合にはＳ２０１に戻る。そうでなければログイン状態を維持したまま、携帯電話１０の操作情報及び認証情報の受信待ち状態に戻る（Ｓ２０６、Ｓ２０７）。
【００６１】
コントロールボックス４００は、コマンド送信アプリケーション４０６ｂを実行しており、サブサーバ２００から動作指令コマンドが送信されてこない間は、動作指令コマンドの受信待機状態が維持されている（Ｓ４０１、Ｓ４０２）。動作指令コマンドを受信すると、そのコマンドから駆動対象となる居室内ユニット４２０を特定して（Ｓ４０３）、特定された居室内ユニット４２０に動作指令コマンドを送信する（Ｓ４０４）。ただし、駆動対象がカメラ４３０である場合には、動作指令コマンド送信後に画像送信アプリケーション４０６ｃを起動して、動作指令コマンドの受信待機状態に戻る（Ｓ４０１、Ｓ４０２）。
【００６２】
図１０に進む。コントロールボックス４００は、画像送信アプリケーション４０６ｃを起動すると、まずはカメラ４３０による撮影画像の受信待機状態となる（Ｓ４５１、Ｓ４５２）。そして、撮影画像を受信すると、撮影画像をデータ圧縮することにより圧縮画像ファイルを作成する（Ｓ４５３）。圧縮画像ファイルは、ＪＰＥＧ、ＰＮＧ、ＧＩＦ等の形式とすることができる（本実施形態においてはＪＰＥＧ）。なお、作成された圧縮画像ファイルは、画像記憶メモリ４０６ｄに一時的に記憶される。そして、この圧縮画像ファイルを画像記憶メモリ４０６ｄから読み出してサブサーバ２００にＦＴＰに従い送信（返信）する（Ｓ４５４）。ここでの圧縮画像ファイルの送信はファイルムーブにより行なわれるので、送信された圧縮画像ファイルは画像記憶メモリ４０６ｄから消去される。
【００６３】
このとき、サブサーバ２００では、画像送信アプリケーション２０６ｃが起動しており、コントロールボックス４００から送信されてくる圧縮画像ファイルの受信を待つ待機状態となっている（Ｓ２５１，Ｓ２５２）。コントロールボックス４００から圧縮画像ファイルを受信すると、該コントロールボックス４００に対応する画像記憶メモリ２０６ｄに記憶する（Ｓ２５３）。
【００６４】
なお、圧縮画像ファイルの画像記憶メモリ２０６ｄへの記憶は上書きの形で行なわれる。コントロールボックス４００は、転送する圧縮画像ファイルに対し常に同一のファイル名を付与した上でサブサーバ２００にＦＴＰ送信してくるので、サブサーバ２００では、そのファイル名のまま画像記憶メモリ２０６ｄに記憶するので、自動的に過去の圧縮画像ファイルに上書きする形で保存される。保存後は、Ｗｅｂサーバ１００からの画像取得要求の受信待ち状態となる（Ｓ２５４、Ｓ２５５）。
【００６５】
一方、Ｗｅｂサーバでは、画像表示アプリケーション２０６ｃが起動して、画像取得要求をユーザー認証情報とともにＨＴＴＰに従い送信する（Ｓ１５１）。そして、サブサーバ２００が実行する認証処理の結果待ち状態となる（Ｓ１５３，Ｓ１５４）。
【００６６】
サブサーバ２００は、Ｗｅｂサーバ１００から画像取得要求及びユーザー認証情報を受信すると、まずは受信したユーザー認証情報に対する認証処理を開始する（Ｓ２５６）。ユーザーＤＢ２０６ｅに記憶されている登録ユーザーの認証情報（マスター認証情報）を読み出して、これと受信したユーザー認証情報とを比較し、一致する場合を認証ＯＫ、一致しない場合を認証ＮＧとする。認証処理が終了すると、その認証結果をＷｅｂサーバ１００にＨＴＴＰに従い返信する（Ｓ２５７）。
【００６７】
そして、認証ＯＫの場合は、ユーザー認証情報のルームＩＤに対応するコントロールボックスを特定し、該コントロールボックスに対応する画像記憶メモリ４０６から圧縮画像ファイルを非圧縮画像バイト列データ（バイナリデータ）に展開しつつ、当該非圧縮画像バイト列データをＷｅｂサーバ１００にＨＴＴＰに従い送信する。他方、認証ＮＧの場合は、画像表示アプリケーション４０６ｃを終了する。
【００６８】
Ｗｅｂサーバ１００は、サブサーバ２００から認証結果を受信し、（Ｓ１５２）その認証結果が認証ＯＫであった場合には、サブサーバ２００から送信されてくる画像データ（非圧縮画像バイト列データ）の受信待ち状態となる（Ｓ１５６，Ｓ１５７）。非圧縮画像バイト列データを受信すると、これを携帯電話１０のブラウザで表示可能な形式に変換して、ＨＴＴＰに従い該携帯電話１０に返信し（Ｓ１５８）、画像表示アプリケーション１０６ｃを終了する。他方、認証結果がＮＧであった場合には、その結果を携帯電話１０にＨＴＴＰに従い返信・通知して（Ｓ１５５）、画像表示アプリケーション４０６ｃを終了する。
【００６９】
このとき、携帯電話１０では、図９のＳ１３において、画像データの返信を待つ待機状態となっているが、Ｗｅｂサーバ１００から認証ＮＧが送信されてきた場合には、認証ＮＧの旨を表示画面１１に表示して（Ｓ１５）、再び表示画面１１にユーザー認証情報（ログイン情報）の入力画面表示に戻る（Ｓ２）。他方、画像データが送信されてきた場合には、ブラウザにより該画像データを表示画面１１に表示する（Ｓ１）。表示解除操作がなされた場合には、表示を終了する（Ｓ１９）。また、終了操作がなされた場合には、本アプリケーションを終了し、終了操作がされなければユーザー操作を待つ待機状態（Ｓ８）に戻る。
【００７０】
このように、本実施形態における遠隔カメラ撮影画像閲覧システム１は、ユーザーによる携帯電話１０の操作により、自室Ｒのカメラ４３０及び赤外線発信装置４４０を駆動することができ、カメラを駆動した場合には、その撮影画像を携帯電話で閲覧することができる。一方で、Ｗｅｂサーバ１００とサブサーバ２００との間では認証処理が実施され、さらに、サブサーバ２００とコントロールボックス４００との間がＶＰＮにより接続されており、カメラ４３０の撮影画像が他者に見られないように構築されている。
【００７１】
なお、本実施形態においては、携帯電話１０からの操作により、コントロールボックス４００の赤外線信号記憶部４０６ｅに記憶される赤外線信号情報は、該コントロールボックスが実行する赤外線信号学習アプリケーションを実行し、外部からの信号入力を受けることにより新たな波形出力を有する赤外線信号情報を登録することができる。
【００７２】
以上、本発明の実施形態を説明したが、これらはあくまで例示にすぎず、本発明はこれらに限定されるものではなく、特許請求の範囲の趣旨を逸脱しない限りにおいて種々の変更が可能である。例えば、上記実施形態におけるインターネット通信に代わってＰＬＣ（Power Line Communications：電力線搬送通信）を利用してもよい。
【図面の簡単な説明】
【００７３】
【図１】本発明の遠隔カメラ撮影画像閲覧システムの全体構成を概略的に示す第一の概略図。
【図２】本発明の遠隔カメラ撮影画像閲覧システムの全体構成を概略的に示す第二の概略図。
【図３】本発明の遠隔カメラ撮影画像閲覧システムの全体構成を示すブロック図。
【図４】コントロールボックス及び居室内ユニットの構成を示すブロック図。
【図５】居室内ユニットの外観図。
【図６】コマンド説明図。
【図７】本発明の遠隔カメラ撮影画像閲覧システムにおける処理の流れを説明する図。
【図８】本発明の遠隔カメラ撮影画像閲覧システムにおける処理の流れを示す第一のフローチャート。
【図９】本発明の遠隔カメラ撮影画像閲覧システムにおける処理の流れを示す第二のフローチャート。
【図１０】本発明の遠隔カメラ撮影画像閲覧システムにおける処理の流れを示す第三のフローチャート。
【符号の説明】
【００７４】
１  遠隔カメラ撮影画像閲覧システム
Ｍ  集合住宅
Ｒ  居室
１０  携帯電話
１００  Ｗｅｂサーバ
２００  サブサーバ
４００  コントロールボックス（コントロールサーバ）
５０  インターネット
６０  ＶＰＮ
４２０  居室内ユニット
４３０  居室内カメラ
４４０  赤外線発信装置
５００  電化製品
５０１  空調装置（エアコン）
５０２  照明装置
５０３  録画装置
【図１】
2008167250.tif 000003
【図２】
2008167250.tif 000004
【図３】
2008167250.tif 000005
【図４】
2008167250.tif 000006
【図５】
2008167250.tif 000007
【図６】
2008167250.tif 000008
【図７】
2008167250.tif 000009
【図８】
2008167250.tif 000010
【図９】
2008167250.tif 000011
【図１０】
2008167250.tif 000012